(57)【要約】【課題】優先順位の低い移動電話システムで待ち受け中であっても、優先順位の高い移動電話システム圏内で発信したときには自動的に優先順位の高い移動電話システムでの発信を可能にする。【解決手段】発信の優先順位がシステムＡ＞システムＢに設定された２種類の移動電話システムに対応可能な移動無線端末がＭ１の位置にいる場合、この移動無線端末は、移動電話システムＢとの間で位置登録が行われ、システムＢで待ち受け状態となっている。この移動無線端末がＭ２の位置に移動してシステムＡのセルサーチ（周期的な）によりシステムＡのセルを発見すると、システムＡとの間で位置登録が行われシステムＡで待ち受け状態となるが、ユーザーが「発信に関連する操作」を行ったときには、即座にセルサーチを行って、移動無線端末を移動電話システムＡの待ち受け状態に切り替わる。【選択図】        図１
2004187104.tif 000002
【特許請求の範囲】
【請求項１】
複数種類の移動電話システムに対応可能な移動無線端末において、前記複数種類の移動電話システムに優先順位を設定し、優先順位の低い移動電話システムに位置登録されているときに該移動無線端末による発信に関連する操作が行われたとき、即座に優先順位の高い移動電話システムのセルサーチを行い、該優先順位の高い移動電話システムのセルを発見したときには、該優先順位の高い移動電話システムに対して位置登録を行って該優先順位の高い移動電話システムでの待ち受け状態に切り替えることを特徴とする複数の移動電話システムに対応可能な移動無線端末のセルサーチ方法。
【請求項２】
前記発信に関連する操作は、ダイヤル入力またはメールアドレス入力であることを特徴とする請求項１に記載のセルサーチ方法。
【請求項３】
前記携帯電話機は折り畳み式の携帯電話機であり、前記発信に関連する操作は、該折り畳み式の携帯電話機を開く操作であることを特徴とする請求項１に記載のセルサーチ方法。
【請求項４】
前記発信に関連する操作に伴う優先順位の高い移動電話システムのセルサーチによって該優先順位の高い移動電話システムのセルを発見できなかったとき、短いサーチ周期で前記優先順位の高い移動電話システムのセルサーチを所定時間繰り返し行うことを特徴とする請求項１に記載のセルサーチ方法。
【請求項５】
前記発信に関連する操作に伴う優先順位の高い移動電話システムのセルサーチによって該優先順位の高い移動電話システムのセルを発見できなかったとき、短いサーチ周期で前記優先順位の高い移動電話システムのセルサーチを所定回数繰り返し行うことを特徴とする請求項１に記載のセルサーチ方法。
【請求項６】
ユーザーによる発信開始の操作（発信ボタンの押下）を検出した時点で、前記優先順位の高いセルが発見されているが位置登録が完了していないときには、前記優先順位の高いシステムに位置登録が完了するまでは発信を止め、前記位置登録が完了した後、直ちに当該発信を行うことを特徴とする請求項１〜５のいずれかに記載のセルサーチ方法。
【請求項７】
前記優先順位の高い移動電話システムのセルサーチによって、該優先順位の高い移動電話システムのセルを発見できなかったときには、前期位置登録されている優先順位の低い移動電話システムに発信することを特徴とする請求項１〜５のいずれかに記載のセルサーチ方法。
【請求項８】
前記移動電話システムの優先順位が設定可能であり、該設定された優先順位と現在待ち受け状態にあるシステムの情報に基づいて前記セルサーチ動作を実行することを特徴とする請求項１〜７のいずれかに記載のセルサーチ方法。
【請求項９】
複数種類の移動電話システムに対応可能な移動無線端末において、前記複数種類の移動電話システムに対する優先順位を設定する手段と、優先順位の低い移動電話システムに位置登録されているときに該移動無線端末による発信に関連する操作が行われたことを検出して優先順位の高い移動電話システムのセルサーチを行う手段と、該セルサーチにより前記優先順位の高い移動電話システムのセルを発見したとき該優先順位の高い移動電話システムに対して位置登録を行って該優先順位の高い移動電話システムでの待ち受け状態に切り替える手段を備えていることを特徴とする移動無線端末。
【請求項１０】
前記優先順位の高い移動電話システムのセルサーチを行う手段は、該セルサーチを短いサーチ周期で所定時間繰り返す機能を有していることを特徴とする請求項９に記載の移動無線端末。
【請求項１１】
前記優先順位の高い移動電話システムのセルサーチを行う手段は、該セルサーチを短いサーチ周期で所定回数繰り返す機能を有していることを特徴とする請求項９に記載の移動無線端末。
【請求項１２】
発信開始の操作（発信ボタンの押下）と前記優先順位の高いシステムに対する位置登録が完了したことを検出した後に、当該発信を行う手段を備えていることを特徴とする請求項９〜１１のいずれかに記載の移動無線端末。
【請求項１３】
前記優先順位の高い移動電話システムのセルサーチを行う手段が、前記優先順位の高い移動電話システムのセルを発見できなかったときに前期位置登録されている優先順位の低い移動電話システムに発信する手段を備えていることを特徴とする請求項９〜１１のいずれかに記載の移動無線端末。
【請求項１４】
複数の移動電話システムに対応可能な移動無線端末のセルサーチをコンピュータによって制御するためのプログラムであって、
前記移動無線端末が待ち受け状態にあるかどうかを判断する処理と、
前記移動無線端末が対応可能な移動電話システムの優先順位を検索する処理と、
前記移動無線端末の発信操作を検出する処理と、
前記移動無線端末が待ち受け状態にあり、かつ待ち受け中の移動電話システムよりも優先度の高い移動電話システムが存在する状態で、前記発信操作が検出されたとき即座に前記優先度の高い移動電話システムのセルサーチを指示する処理と、
前記セルサーチでセルが発見されなかったとき、該優先度の高い移動電話システムのセルサーチを短い周期で所定時間または所定回数繰り返すことを指示する処理と、
前記優先度の高い移動電話システムのセルが発見されたとき、前記セルサーチの終了を指示するとともに、該優先度の高い移動電話システムに対する位置登録を指示する処理と、
前記所定時間または所定回数のセルサーチで前記優先度の高い移動電話システムのセルが発見できなかったとき、前記優先度の高い移動電話システムのセルサーチを長い周期に設定するかまたは停止を指示するとともに、前記優先度の低い移動電話システムの待ち受け状態に戻すことを指示する処理と、
を前記コンピュータに実行させるためのプログラム。
【発明の詳細な説明】
【０００１】
【発明の属する技術分野】
本発明は、例えばＧＳＭ（ｇｌｏｂａｌ  ｓｙｓｔｅｍ  ｆｏｒ  ｍｏｂｉｌｅ  ｃｏｍｍｕｎｉｃａｔｉｏｎ）方式（２Ｇ）と第３世代携帯電話方式（３Ｇ）等の、複数の移動電話システムに対応可能な携帯電話機等の移動無線端末装置に関し、特に、これら複数のシステムに対するセルサーチ方法に関する。
【０００２】
【従来の技術】
携帯電話機がそのサービス圏外にあるときあるいはＰｏｗｅｒ−Ｏｎした時点では、未だ基地局との間で位置登録が行われていない圏外状態となっているので、携帯電話機は機能として、基地局に対して位置登録を行うために周期的に基地局を探すセルサーチ機能を有している。
【０００３】
このセルサーチの周期は、消費電流と使い勝手に大きく影響する。即ち、消費電流を減らすためにはセルサーチ周期を長くして、セルサーチ動作をあまり頻繁に行わないようにした方が有利であるが、周期が長すぎるとセル圏内に入ってもサーチが行われるまでは圏内と認識できないためにその間位置登録が行われず、使い勝手が良くないという問題があり、逆に、セルサーチの周期を短くすればセル圏内に入ったときに直に位置登録が行われるので使い勝手は良くなるが、セルサーチに伴う電力消費が増加するという問題がある。
【０００４】
そのため従来、このセルサーチの周期を状況に応じて調整する方法が採用されており、サービス圏内からサービス圏外へ移行した後しばらくの間は短い周期でセルサーチを行い、一定時間セルが発見できない場合はセルサーチ周期を段階的に長くする方法などが考えられている。
【０００５】
例えば、特許文献１では、サービス圏内からサービス圏外へ移行したとき、サービス圏外経過時間に応じてセルサーチの周期を長くし、圏外時にユーザーの所定の操作（例えば、サーチスイッチの押下）が行われたときには、即時セルサーチを行い、このセルサーチの結果、圏内であれば即圏内状態にして位置登録を行い、依然として圏外であればその旨を表示して、再び周期の長いセルサーチに戻す方法が提案されている。
【０００６】
【特許文献１】
特開２００１−１４５１６２号公報。
【０００７】
【発明が解決しようとする課題】
２Ｇおよび３Ｇに代表される２種類の移動電話システムまたはネットワーク（以下、移動電話システムという）に対応する携帯電話機（デュアルシステム移動無線端末装置）においても、通常、これら両システムのサービス圏外にある場合には、それぞれのシステムに対してそれぞれ長い周期のセルサーチが設定されるが、例えば、２Ｇのシステム圏内に入って２Ｇシステムに位置登録が完了して、２Ｇシステムで発信、着信が可能な状態である２Ｇでの待ち受け中（２Ｇ＿Ｉｄｌｅ時）には、消費電力削減のために、３Ｇのセルサーチ周期を長く設定するかまたは、サーチスイッチが押されるまでセルサーチ自体を行わない方法がとられている。
【０００８】
このため、２Ｇ＿Ｉｄｌｅ中に３Ｇの圏内に入った場合に、３Ｇのセルサーチ周期より前あるいはセルサーチスイッチが押されなければ、即座に３Ｇ圏内を検出できずに現在位置登録されている２Ｇで発信してしまうことが多くなり、３Ｇのメリット（音質、通信速度など）を利用できる機会が減るという問題がある。
【０００９】
本発明は、上記問題点に鑑み、例えば２Ｇおよび３Ｇに代表される２種類の移動電話システムに対応する携帯電話機において、２Ｇ＿Ｉｄｌｅ中であっても３Ｇのサービス圏内で発信したときには自動的に３Ｇでの発信を可能にする手段を提供することにある。
【００１０】
【課題を解決するための手段】
本発明の複数の移動電話システムに対応可能な移動無線端末のセルサーチ方法は、前記複数種類の移動電話システムに優先順位を設定しておき、優先順位の低い移動電話システムに位置登録されているときにユーザーにより該携帯電話機の発信に関連する操作が行われたとき、即座に優先順位の高い移動電話システムのセルサーチを行い、該優先順位の高い移動電話システムのセルを発見したときには、該優先順位の高い移動電話システムに対して位置登録を行って該優先順位の高い移動電話システムでの待ち受け状態に切り替えることを特徴とする。
【００１１】
例えば、ＧＳＭ（ｇｌｏｂａｌ  ｓｙｓｔｅｍ  ｆｏｒ  ｍｏｂｉｌｅ  ｃｏｍｍｕｎｉｃａｔｉｏｎ）方式（２Ｇ）と第３世代携帯電話方式（３Ｇ）の移動電話システムに対応可能な移動無線端末において、３Ｇに優先順位を設定しておけば、この移動無線端末を携帯しているユーザーが、「発信に関連する操作」（ダイヤル操作、メール送信アドレス入力、折り畳み式携帯電話の場合は本体を開く動作など）を行った場合には、２Ｇ＿Ｉｄｌｅ中でも即座に３Ｇのセルサーチが行われ、３Ｇのセルが発見できた場合には即座にシステムを３Ｇでの待ち受け状態（位置登録）に切り替えられる。その後ユーザーが発信開始の操作（発信ボタンの押下）を行うと、３Ｇシステムで発信、着信が可能になる。
【００１２】
また、通常は３Ｇのサーチ周期を長く設定し消費電力を抑え、ユーザーが発信するときにだけ３Ｇサーチ周期を短くして３Ｇセルの発見確率を上げる。よって、２Ｇ＿Ｉｄｌｅ中でも発信時に３Ｇ圏内にいる場合は、３Ｇシステムに移行し発信する確率が高まる。すなわちユーザーにとっては、３Ｇで発信できる可能性が増える利点がある。また、セルサーチの周期を短縮するきっかけは、前述のようにユーザーの「発信に関連する操作」であり、特別な操作（例えば、サーチスイッチの押下など）を必要としないため、ユーザーは本機能を意識することなく使用することができる。
【００１３】
また、本発明では、例えば２Ｇ＜３Ｇのように各システムに優先順位を設け、優先順位の低いシステム（２Ｇ）で待ち受けている場合にのみ、本発明の処理を行うようにし、３Ｇで待ち受けている場合や２Ｇ／３Ｇ両方ともサービス圏外時には、本動作は行わないようにすることで、「消費電力の削減」と「優先順位の高いシステムで発信する確率を高める」ことの両立が可能となる。
【００１４】
【発明の実施の形態】
図１は、本発明が適用されるシステムの概略を示しており、２種類の移動電話システム（移動電話システムＡと移動電話システムＢ）のサービスエリアが少なくとも一部重複した状態でそのエリアが設定されており、移動無線端末はこの２種類の移動電話システム（ネットワーク）に対応可能な構成を有しており、かつ発信の優先順位がシステムＡ＞システムＢに設定されている。
【００１５】
移動無線端末がシステムＡ及びシステムＢのエリア外に位置している場合には、この移動無線端末は、それぞれ長い周期（例えば６分間隔）でシステムＡ及びシステムＢのセルサーチを行っている。また移動無線端末がＭ１の位置にいる場合には、この移動無線端末は、移動電話システムＢとの間で位置登録が行われ、システムＢでの待ち受け状態となるとともに、長い周期（例えば６分間隔）でシステムＡのセルサーチを行っている。
【００１６】
移動無線端末がＭ１からＭ２の位置に移動すると、周期的（例えば６分間隔）に行われるシステムＡのセルサーチにより移動電話システムＡのセルを発見することにより、優先順位の高い移動電話システムＡとの間で位置登録が行われ、システムＡでの待ち受け状態となるが、この周期的セルサーチによってシステムＡとの間で位置登録される前に、ユーザーが「発信に関連する操作」を行った場合、即座にシステムＡのセルサーチを実行して移動無線端末をシステムＡに位置登録し、システムＡの待ち受け状態に切り替えることにより、システムＡでの発信を可能にする。
【００１７】
図２は、本発明の実施形態を示す移動無線端末の概略ブロック図であり、本システムに関連するものだけを抜粋して示している。本実施形態の移動無線端末は、説明のため、システムＡとシステムＢの２種類の無線システムに対応している携帯電話機を想定している。
【００１８】
図２において、１００はアンテナを含む無線部であり、システムＡ、Ｂの両方に対応する。２００はシステムの制御部であり、システムＡ、Ｂの両方に対応する。３００は本体記憶部である。４００は本体操作部であり、折り畳み式携帯電話の場合には本体の開閉検出機能を含む。５００は本体表示部である。制御部２００は、本体記憶部３００に格納されている各種制御プログラムに基づいて、携帯電話機の動作を制御する。
【００１９】
本発明の携帯電話機では、初期値として、セルサーチを行うための各システムの優先順位が予め設定されており、それに従ってセルサーチが行われるが、ユーザーがセルサーチを行うための各システムの優先順位を設定することも可能である。その場合、例えば以下の手順で設定を行う。
【００２０】
１．ユーザーの本体操作部４００の操作により、「システムの優先順位設定」動作を開始する。
２．本体記憶部３００から現状設定されている各システムの優先順位を読み出し、本体表示部５００に表示する。
（例）
システムＡ＝１（優先順位高）
システムＢ＝１（優先順位高）
３．ユーザーが本体操作部４００にて、各システムの優先順位を設定する。
（例）
システムＡ＝１（優先順位高）
システムＢ＝２（優先順位低）
４．ユーザーが本体操作部４００で設定完了の操作を行うことにより、設定値を本体記憶部３００に記憶する。
【００２１】
図３は、本発明の携帯電話機が優先順位によるセルサーチを行うか否かを判断するフローチャートであり、「本体記憶部３００に記憶されている各システムの優先順位」と「現在どのシステムに対して待ち受け状態にあるか」を制御部２００にて判断し、その情報に基づき、本手法を使用するかどうかを判断する。
【００２２】
ここでは、各システムの優先順位が以下のように設定されていると想定する。システムＡ＝１（優先順位高）
システムＢ＝２（優先順位低）
また、システムＢで待ち受け中であることを想定して説明する。
【００２３】
１．本携帯電話機が待ち受け状態にあるかどうかを制御部２００で判断する。
２−１．待ち受け状態にない場合は、本手法によるセルサーチは行わない。
２−２．待ち受け状態にある場合は、制御部２００は本体記憶部３００に記憶されている各システムの優先順位を検索する。
３．現在待ち受け状態にあるシステムの優先順位（本説明の場合システムＢ）とそれ以外のシステムの優先順位（本説明の場合システムＡ）を比較する。
４−１．待ち受け状態にあるシステムよりも優先順位の高いシステムが存在しない場合、本手法によるセルサーチは行わない。
４−２．待ち受け状態にあるシステムよりも優先順位の高いシステムが存在する場合、制御部２００はそのシステムに対し、本手法によるセルサーチを行うことを決定する。ただし、同じ優先順位が設定されたシステムについては、本手法によるセルサーチは行わない。本説明の場合、優先順位はシステムＡ＞システムＢであるので、システムＡに対して本手法によるセルサーチを行うと判断する。
【００２４】
図４は、本携帯電話機が優先順位の低いシステム（システムＢ）で待ち受け状態であって優先順位の高いシステム（システムＡ）のセルサーチを周期的に実行している状態において、「発信に関連する操作」を検出したときの本発明の動作を示すフローチャートである。また、図５は、優先順位の高いシステム（システムＡ）のセルサーチ周期変更の一例を示すタイムチャートである。
【００２５】
以下、システムＡに対して本手法によるセルサーチを行うと判断されていると想定して、本実施形態の「発信に関連する操作」が行われたときの動作について、図２〜図５を参照して説明する。
【００２６】
１．携帯電話機がシステムＢで待ち受け状態のとき、携帯電話機はシステムＡのセルサーチを図５−▲１▼に示す通常の周期（例えば６分間隔）で実行している。
２．ユーザーが操作部４００でダイヤル操作、メール送信アドレス入力、折り畳み式携帯電話の場合は本体を開くなどの操作を開始することにより、制御部２００は「発信に関連する操作」を検出する。
３．「発信に関連する操作」を検出すると、制御部２００は即座にシステムＡのセルサーチを行う。（図５−▲２▼）
４．制御部２００は手順３でシステムＡのセルが発見されたかどうかを判断する。
５．手順３で３Ｇのセルが発見されなかった場合、制御部２００はシステムＡのセルサーチ周期を短い値（例えば３．２秒間隔）に設定する。（図５−▲３▼）
６．制御部２００は手順５で設定された周期に従いシステムＡのセルサーチを繰り返す。（図５−▲４▼）
７．制御部２００は手順６の実行中にシステムＡのセルが発見されたかどうかを判断する。
８．制御部２００は手順２から予め設定されている一定時間が経過したかどうかを判断する。（図５−▲５▼）
９．システムＡのセルが一定時間経過しても発見できなかった場合は、制御部２００はセルサーチ周期を通常の長い周期（例えば６分間隔）に設定して手順１に戻る。（図５−▲６▼）
１０．手順４または手順７でシステムＡのセルが発見できた場合は、制御部２００はシステムＡに位置登録を開始し、位置登録が成功すればシステムＡの待ち受け状態へ移行する。
なお、手順２の操作は、後に発信を伴う操作（例えば、ダイヤル入力など）で実際にはまだ発信ボタンが押されていない状態を意味する。
【００２７】
図６は、本実施形態の発信時の動作を示すフローチャートである。以下、図２、図５〜図６を参照して発信時の動作について説明する。
【００２８】
１．ユーザーが操作部４００で発信を決定する操作を行う。（通常は発信ボタンの押下）
２．制御部２００は上記手順１０が動作中であるかどうかを判断する。
３．手順１０が動作中である場合は、制御部２００は手順１０が完了するまで待つ。
４．制御部２００はそのとき待ち受け状態にあるシステムで発信する。
なお、手順１の操作は実際に発信が決定される操作（発信ボタンの押下）を意味する。
【００２９】
なお、上記の実施形態では、システムＡとシステムＢの２種類のシステムをサポートする携帯電話機について述べたが、サポートするシステムはそれ以上（ｎ種）あっても構わない。例えば、システムＡ，Ｂ，Ｃの３種類をサポートする携帯電話機では、各システムに次の様に優先順位を設定できる。
【００３０】
システムＡ＝１（優先順位高）
システムＢ＝２（優先順位中）
システムＣ＝３（優先順位低）
この場合、
システムＡで待ち受けているとき：本手法は行わない
システムＢで待ち受けているとき：システムＡに対してのみ本手法でセルサーチを行う
システムＣで待ち受けているとき：システムＡ，Ｂに対して本手法でセルサーチを行う。
【００３１】
また、例えば次の様に優先順位を設定することも可能である。
システムＡ＝１（優先順位高）
システムＢ＝１（優先順位高）
システムＣ＝２（優先順位低）
この場合、
システムＡおよびシステムＢで待ち受けているとき：本手法は行わない
システムＣで待ち受けているとき：システムＡ，Ｂに対して本手法でセルサーチを行う。
【００３２】
また、上記実施形態ではデュアルシステムの携帯電話を想定しているが、本発明は３Ｇのみのシステムにおいても利用可能である。例えば、システムＡ，Ｂをそれぞれ次の様に想定する。
システムＡ（優先順位高）＝主契約のネットワーク（ＨＰＬＭＮ：Ｈｏｍｅ  Ｐｕｂｌｉｃ  Ｌａｎｄ  Ｍｏｂｉｌｅ  Ｎｅｔｗｏｒｋ）
システムＢ（優先順位低）＝ＨＰＬＭＮ以外のネットワーク（例．ローミング契約を結んでいるネットワーク）
そして、ＨＰＬＭＮ以外のネットワーク（システムＢ）で待ち受けている３Ｇの携帯電話は、通常、６分の倍数という長い間隔でＨＰＬＭＮ（システムＡ）をサーチする。
【００３３】
このような携帯電話に本手法を用いることで、「発信に関連する操作」時に即座にＨＰＬＭＮをサーチでき、ＨＰＬＭＮの圏内にいた場合はＨＰＬＭＮのセルを発見しこれに切り替えることが可能となるので、ローミング契約を結んでいるネットワークを利用せずに（ＨＰＬＭＮを利用して）発信が可能となる。
【００３４】
また、発信時の動作（図６）における手順２で、「上記手順１０が動作中であるかどうかを判断する。」としているが、この判断を行わずに、即座に手順４を行ってもよい。この場合、システムＡに対して位置登録中であっても、ただちにシステムＢで発信動作が行われ、システムＡへの位置登録は中止される。
【００３５】
また、セルサーチ周期変更動作（図４）における手順８，９で、「一定時間」としているが、「一定回数」であってもよい。さらに手順２で、「発信に関連する操作」としているが、特に発信操作に限定しなくてもよい。単に、ユーザーが操作部を操作することで手順３を行ってもよい。
【００３６】
また、各システムの優先順位設定動作（図３）の際に、本発明の処理自体をＯＮ，ＯＦＦできる設定を設けてもよい。装置の構成は図２の通りでなくてもよく、例えば、制御部２００がシステムごとに分かれていても良いし、無線部１００がシステムごとに分かれていても良い。
【００３７】
【発明の効果】
３Ｇを優先システムとした場合、２Ｇで待ち受けている場合に、ユーザーが「発信に関連する操作」を開始した時にだけ３Ｇの即時サーチを行うとともにサーチタイマを短く設定するため、それ以外の時間では、３Ｇのサーチを不要にするかあるいは３Ｇのサーチ周期を長く設定できるので消費電力を抑制できる。
【００３８】
また、ユーザーがダイヤル操作などの「発信に関連する操作」を開始した時に３Ｇの即時サーチを行うとともにサーチタイマを短く設定するため、実際の発信時（発信ボタン押下時）には３Ｇセルを発見できている確率が上がるため、ユーザーにとっては３Ｇのメリット（音質、通信速度など）を利用できる機会が増える。
【００３９】
また、ユーザーが「発信に関連する操作」を開始してから一定時間あるいは一定サーチ回数の間はサーチタイマを短く設定するため、ユーザーが所定の操作を行った場合に１度しか即時サーチを行わない方法に比べ、一度サーチに失敗してもその後３Ｇを発見できる可能性があり、３Ｇのメリット（音質、通信速度など）を利用できる機会が一層増える。
【００４０】
また、移動通信システムの切り替えのためにユーザーに特別な操作（サーチスイッチを押下するなど）を要求しないため、ユーザーは本機能を意識することなく利用できる。
【００４１】
また、ユーザーの「発信に関連する操作」（例えば、ダイヤル操作、送信メールアドレスの入力など）を判断することで優先システムの選択動作を実行させるので、発信に関係のない操作の場合（例えば、時計を合わせる操作など）は、不要な即時セルサーチおよびサーチ周期の短縮を行わなくてすみ、不要な電力消費が抑制される。
【図面の簡単な説明】
【図１】本発明が適用されるシステムの概略図である。
【図２】本発明の実施形態を示す移動無線端末の概略ブロック図である。
【図３】本発明の優先順位によるセルサーチを行うか否かを判断するフローチャートである。
【図４】本発明の動作を示すフローチャートである。
【図５】優先順位の高いシステムのセルサーチ周期変更の一例を示すタイムチャートである。
【図６】本実施形態の発信時の動作を示すフローチャートである。
【符号の説明】
１００  無線部
２００  制御部
３００  本体記憶部
４００  本体操作部
５００  本体表示部
【図１】
2004187104.tif 000003
【図２】
2004187104.tif 000004
【図３】
2004187104.tif 000005
【図４】
2004187104.tif 000006
【図５】
2004187104.tif 000007
【図６】
2004187104.tif 000008